(57)【特許請求の範囲】
【請求項１】
シャワーヘッド掛止用の切欠部と、浴室壁面のシャワーハンガーに掛止するための掛止部と、洗い物や各種浴用品等を保持させるための保持部とを備え、シャワーハンガーに対し着脱自在な物品保持具において、前記保持部が、衣類等の洗い物等を掛けるための係合部分と浴用品を吊るすための折曲部分とを有する一対のアームで構成され、前記切欠部および掛止部を備えた中間体が前記一対のアームをヒンジによって回動自在に枢着する状態で前記一対のアームの間に設けられ、前記一対のアームを閉じたときには前記各アームにおいて対向位置にある折曲部分同士が当接するように構成され、さらに、前記中間体は、物品保持具をシャワーハンガーに対し掛止したときにシャワーハンガー上面に当接する当接部を有し、また、前記切欠部は、前記当接部の前面側から下方に連設されてなるテーパー面を有するとともに、前記掛止部は、前記当接部の下面と前記テーパー面の裏面側から連設されて横断面略十字形に形成される４つの矩形片で構成されていることを特徴とするシャワーハンガーに対し着脱自在な物品保持具。
【発明の詳細な説明】
【０００１】
【発明の属する技術分野】
この発明は、シャワーハンガーに対し着脱自在な物品保持具に関するものである。
【０００２】
【従来の技術および発明が解決しようとする課題】
浴室壁面のシャワーハンガーを多機能に利用する目的で、シャワーハンガー自体に、ハンカチ等の洗い物を掛けて干したり小物類を吊るすことができるよう設けられた付属品や、前記シャワーハンガーに掛止された状態で下着等の洗い物やバスタオルを掛けることができる一片のアーム状の掛具が提案されているけれども、前記付属品や掛具の対象が、洗い物や、浴用品の一部に限られており、顧客のニーズに十分応えきれていなかった。
【０００３】
この発明は、シャワーハンガーを多機能に利用できるシャワーハンガーに対し着脱自在な物品保持具を提供することを目的とする。
【０００４】
【課題を解決するための手段】
上記目的を達成するために、この発明のシャワーハンガーに対し着脱自在な物品保持具は、シャワーヘッド掛止用の切欠部と、浴室壁面のシャワーハンガーに掛止するための掛止部と、洗い物や各種浴用品等を保持させるための保持部とを備え、シャワーハンガーに対し着脱自在な物品保持具において、前記保持部が、衣類等の洗い物等を掛けるための係合部分と浴用品を吊るすための折曲部分とを有する一対のアームで構成され、前記切欠部および掛止部を備えた中間体が前記一対のアームをヒンジによって回動自在に枢着する状態で前記一対のアームの間に設けられ、前記一対のアームを閉じたときには前記各アームにおいて対向位置にある折曲部分同士が当接するように構成され、さらに、前記中間体は、物品保持具をシャワーハンガーに対し掛止したときにシャワーハンガー上面に当接する当接部を有し、また、前記切欠部は、前記当接部の前面側から下方に連設されてなるテーパー面を有するとともに、前記掛止部は、前記当接部の下面と前記テーパー面の裏面側から連設されて横断面略十字形に形成される４つの矩形片で構成されている。
【０００５】
【発明の実施の形態】
以下にこの発明の実施の形態について説明する。なお、この発明はそれによって限定されるものではない。
【０００６】
図１〜図６は、この発明の第１の実施形態を示す。図１〜図６において、１は浴室壁面Ｗの上部に設けられ、テーパー面７０が形成された切欠部ａを有するシャワーハンガーで、通常は壁面Ｗの下部に設けた例えば湯水混合栓２のシャワー接続口に取付けられるシャワーホース３に接続されたシャワーヘッド４を前方から掛け外し自在に掛止する。この実施形態では、シャワーヘッド４として、前記切欠部ａに掛止されるシャワーホース接続筒部Ａを握り筒部Ｂの一端側に連設する一方、この握り筒部Ｂの他端側に散水口部Ｃを連設してなるものを採用している。
【０００７】
５は、前記シャワーハンガー１に対し着脱自在な物品保持具で、ハンカチや衣類等の洗い物（物品）を掛けたり、バスタオル８、ボディブラシ９等の浴用品（物品）を吊るすことができる一対のアーム６，６を備えている。
【０００８】
前記各アーム６は、横長（例えば２５０ｍｍ程度）で、前記洗い物を掛けて干すための複数個の係合部分７，７，７と、前記浴用品８，９を吊るすための複数個の折曲部分１０，１０とを有する。そして、前記一対のアーム６，６で前記各種物品を保持する保持部が構成されている。
【０００９】
１２は、一対のアーム６，６の間に設けられた中間体で、両端に設けたヒンジ１１，１１によって各アーム６をＳ方向に回動自在に枢着する。この中間体１２は、前記切欠部ａのテーパー面と同じテーパー面１３ａが形成されたシャワーヘッド４掛止用の切欠部１３と、物品保持具５を前記シャワーハンガー１に掛止するための掛止部１４と、物品保持具５をシャワーハンガー１に対し掛止したときにシャワーハンガー上面１ａに当接する平面視舌片状の当接部１５とで構成され、かつ、両者１３，１４は一体に形成されている。
【００１０】
具体的には、切欠部１３は、当接部１５の前面側から下方に連設されてなる前記テーパー面１３ａを有し、前記シャワーホース接続筒部Ａが掛止された状態でシャワーヘッド４を保持する。
【００１１】
また、掛止部１４は、当接部１５の下面１５ａと前記テーパー面１３ａの裏面Ｄ側から連設されて横断面略十字形に形成される４つの縦長の矩形片１４ａ，１４ｂ，１４ｃ，１４ｄで構成される。そして、矩形片１４ａ，１４ｂ，１４ｃの端面ｍはシャワーヘッド４の前記シャワーホース接続筒部Ａの外周面と同様、テーパー状に形成されている。
【００１２】
更に、前記係合部分７は、前記アーム６に横一列状態で設けた複数の穴で構成されている。２０は係合部分７，７間を連通する連通穴である。
【００１３】
また、図５において２点鎖線で示すように、一対のアーム６，６を閉じたときには前記各アーム６において対向位置にある折曲部分１０，１０同士が当接するように構成してある。すなわち、各折曲部分１０は略Ｌ型で、水平片１０ａと当接片１０からなる。
【００１４】
而して、シャワーヘッド４が取り外されたシャワーハンガー１に、掛止部１４を介して物品保持具５を取り付ける。そして、物品保持具５の切欠部１３にシャワーヘッド４のシャワーホース接続筒部Ａを掛止する。更に、物品保持具５のアーム６，６を回動させて、図４、図６に示すような観音開きの状態で、あるいは、図１に示すような半開きの状態でハンカチや衣類等の洗い物を掛けたり、バスタオル８、ボディブラシ９等の浴用品を吊るすことができる。
【００１５】
また、一対のアーム６，６を閉じた状態でも、前記物品を掛けたり、吊るすことができる。
【００１６】
このように、シャワーハンガーを多機能に利用できて顧客のニーズに十分応えきれる物品保持具５を提供できる。
【００１７】
【００１８】
【００１９】
【００２０】
【００２１】
なお、上記各実施形態では、シャワーヘッドとして、シャワーヘッドのシャワーホース接続筒部がシャワーハンガーの切欠部に掛止されるものを採用したものを示したが、シャワーヘッドの握り筒部が切欠部に掛止されるタイプのものも適用できることは勿論である。
【００２２】
また、図１に示すように、シャワーハンガー６０を、浴室壁面Ｗに取付けられた手すり等のパイプ６１にスライド可能に設けてもよい。
【００２３】
【発明の効果】
以上説明したように、この発明は、シャワーヘッド掛止用の切欠部と、浴室壁面のシャワーハンガーに掛止するための掛止部と、洗い物や各種浴用品等を保持させるための保持部とを備えている。よって、シャワーハンガーを多機能に利用できて顧客のニーズに十分応えきれる物品保持具を提供できる。
【図面の簡単な説明】
【図１】  この発明の第１の実施形態の使用状態を示す全体斜視図である。
【図２】  上記実施形態における側面から見た取り付け状態を示す構成説明図である。
【図３】  上記実施形態における下面からみた使用状態を示す要部構成説明図である。
【図４】  上記実施形態における正面からみた状態を示す全体構成説明図である。
【図５】  上記実施形態における上面からみた状態を示す全体構成説明図である。
【図６】  上記実施形態における下面からみた状態を示す全体構成説明図である。
【符号の説明】
１…シャワーハンガー、４…シャワーヘッド、５…物品保持具、６…アーム、７…係合部分、８，９…物品、１０…折曲部分、１１…ヒンジ、１２…中間体、１３…切欠部、１４…掛止部、ａ…シャワーハンガーの切欠部。
【図１】
0003908832.tif 000002
【図２】
0003908832.tif 000003
【図３】
0003908832.tif 000004
【図４】
0003908832.tif 000005
【図５】
0003908832.tif 000006
【図６】
0003908832.tif 000007